(57)【要約】【課題】複数の虚像を隙間の少ない一つの虚像として視認させることが可能なヘッドアップディスプレイ装置を提供する。【解決手段】ヘッドアップディスプレイ装置は、表示光を出射する表示器と、表示器から出射される表示光を投射部材に反射するミラーユニット３０と、を備え、表示光を視認者のアイボックス内に導いて該視認者に虚像を視認させる。ミラーユニット３０は、表示光を反射する複数の凹面鏡３１Ｌ、３１Ｓ、３１Ｒを有する。複数の凹面鏡３１Ｌ、３１Ｓ、３１Ｒのうち隣り合う二つの凹面鏡３１Ｌ、３１Ｓ、３１Ｒの端部は、隙間を持って配置され、凹面鏡３１の厚さ方向に段差を有し、アイボックス内の所定位置から表示光を遡る方向に見て、二つの凹面鏡３１Ｌ、３１Ｓ、３１Ｒの鏡面が連続して見える位置に配置されている。【選択図】図４
2017134178.tif 000002
【特許請求の範囲】
【請求項１】
表示光を出射する表示器と、前記表示器から出射される前記表示光を投射部材に反射するミラーユニットと、を備え、前記表示光を視認者のアイボックス内に導いて該視認者に虚像を視認させるヘッドアップディスプレイ装置であって、
前記ミラーユニットは、前記表示光を反射する複数の鏡を有し、
前記複数の鏡のうち隣り合う二つの鏡の鏡面の端部は、隙間を持って配置され、前記鏡の厚さ方向に段差を有し、前記アイボックス内の所定位置から前記表示光を遡る方向に見て、前記二つの鏡の鏡面が連続して見える位置に配置されている、
ことを特徴とするヘッドアップディスプレイ装置。
【請求項２】
前記二つの鏡の対向する二つの端面のうちの一つの端面は、前記視認者が前記アイボックス内から前記表示光を遡る方向に見たとしても、見えないように傾斜して配置されている、
ことを特徴とする請求項１に記載のヘッドアップディスプレイ装置。
【請求項３】
前記ミラーユニットは、前記鏡を固定するホルダを備え、
前記二つの鏡のうち第１の鏡の鏡面の端部は、前記二つの鏡のうちの第２の鏡側に突出し、
前記第２の鏡の鏡面の端部は、前記第１の鏡の鏡面の端部よりも前記ホルダ側に位置する、
ことを特徴とする請求項１または２に記載のヘッドアップディスプレイ装置。
【請求項４】
前記表示器は、前記鏡毎に１台ずつ設けられる、
ことを特徴とする請求項１から３の何れか１項に記載のヘッドアップディスプレイ装置。
【請求項５】
前記鏡は、凹面鏡から構成される、
ことを特徴とする請求項１から４の何れか１項に記載のヘッドアップディスプレイ装置。
【請求項６】
前記虚像に表れる前記二つの鏡の隙間が直線に近づくように、前記鏡の厚み方向から見て、前記二つの鏡の隙間が曲線状に形成される、
ことを特徴とする請求項１から５の何れか１項に記載のヘッドアップディスプレイ装置。
【発明の詳細な説明】
【技術分野】
【０００１】
本発明は、ヘッドアップディスプレイ装置に関する。
【背景技術】
【０００２】
視認者（主に運転者）に各種情報を提供する装置として、ヘッドアップディスプレイ装置が知られている。例えば、引用文献１には、表示光を凹面鏡に照射する表示器と、表示光をフロントガラス等の投射部材に反射する凹面鏡と、を備え、投射部材で反射した表示光により、視認者に虚像を視認させるヘッドアップディスプレイ装置が開示されている。
【０００３】
引用文献１のヘッドアップディスプレイ装置に限らず、ヘッドアップディスプレイ装置には、視認者により多くの情報を提供するために、視認者に大きい虚像や横長の虚像を視認させることの要求が高まると考えられる。しかし、表示器から照射された表示光を一つの凹面鏡で反射した場合、虚像の大きさに限界がある。このため、ヘッドアップディスプレイ装置が、並列に並べられた複数の凹面鏡と、凹面鏡毎に表示光を照射する表示器とを備え、それぞれの表示器から表示光を対応する凹面鏡に照射することで、視認者に上下左右に並んだ複数の虚像を１つの大きい虚像や横長の虚像として視認させることが考えられる。この場合、凹面鏡と凹面鏡とに隙間があると、視認者が視認する虚像にも隙間ができる。虚像に隙間ができると、視認性にも劣り、視認者が不快に感じるという問題がある。
【先行技術文献】
【特許文献】
【０００４】
【特許文献１】特開２００４−１２６２２６号公報
【発明の概要】
【発明が解決しようとする課題】
【０００５】
虚像に隙間ができないように、凹面鏡と凹面鏡との間の隙間をなくして設計することも考えられる。しかし、凹面鏡は、樹脂製の基材と基材の上に配置されたアルミニウムなどの金属膜とから構成されるため、温度が上昇すると膨張し、隙間がないと応力により変形する。凹面鏡が変形すると、視認者が視認する虚像にゆがみが生じるおそれがある。また、製造される凹面鏡は、部品公差を有することから、凹面鏡と凹面鏡との間に隙間を設けて設計する必要がある。これらのため、凹面鏡と凹面鏡との間の隙間をなくすことは困難であり、ヘッドアップディスプレイ装置が、視認者に隙間が少ない虚像を視認させることは容易でない。
【０００６】
本発明は、このような実情に鑑みてなされたものであり、複数の虚像を隙間の少ない一つの虚像として視認させることが可能なヘッドアップディスプレイ装置を提供することを目的とする。
【課題を解決するための手段】
【０００７】
上記目的を達成するため、本発明に係るヘッドアップディスプレイ装置は、
表示光を出射する表示器と、前記表示器から出射される前記表示光を投射部材に反射するミラーユニットと、を備え、前記表示光を視認者のアイボックス内に導いて該視認者に虚像を視認させるヘッドアップディスプレイ装置であって、
前記ミラーユニットは、前記表示光を反射する複数の鏡を有し、
前記複数の鏡のうち隣り合う二つの鏡の鏡面の端部は、隙間を持って配置され、前記鏡の厚さ方向に段差を有し、前記アイボックス内の所定位置から前記表示光を遡る方向に見て、前記二つの鏡の鏡面が連続して見える位置に配置されている、
ことを特徴とする。
【発明の効果】
【０００８】
本発明によれば、視認者に複数の虚像を隙間の少ない一つの虚像として視認させることが可能なヘッドアップディスプレイ装置を提供することができる。
【図面の簡単な説明】
【０００９】
【図１】本発明の実施の形態に係るヘッドアップディスプレイ装置が搭載された車両を示す図である。
【図２】本発明の実施の形態に係るヘッドアップディスプレイ装置の構成を示す図である。
【図３】本発明の実施の形態に係る表示器とミラーユニットの位置関係を示す図である。
【図４】（Ａ）は、本発明の実施の形態に係るミラーユニットを示す正面図であり、（Ｂ）は、図４（Ａ）のＡ−Ａ断面図である。
【図５】本発明の実施の形態に係るミラーユニットの拡大断面図である。
【図６】本発明の実施の形態に係るミラーユニットの拡大断面図である。
【図７】本発明の実施の形態に係るミラーユニットの拡大断面図である。
【図８】本発明の実施の形態に係るミラーユニットの拡大断面図である。
【図９】本発明の実施の形態に係るミラーユニットの拡大断面図である。
【図１０】本発明の実施の形態に係るヘッドアップディスプレイの表示を示す図である。
【図１１】（Ａ）は、比較例に係るミラーユニットの拡大断面図であり、（Ｂ）は、比較例に係るヘッドアップディスプレイの表示を示す図である。
【図１２】（Ａ）は、本発明の変形例に係る仮想のヘッドアップディスプレイの表示を示す図であり、（Ｂ）は、本発明の変形例に係るミラーユニットを示す正面図である。
【図１３】本発明の変形例に係るヘッドアップディスプレイの表示を示す図である。
【図１４】本発明の変形例に係るミラーユニットの拡大断面図である。
【図１５】（Ａ）および（Ｂ）は、本発明の変形例に係るミラーユニットを示す断面図である。
【発明を実施するための形態】
【００１０】
以下、本発明に係るヘッドアップディスプレイ装置の実施の形態について図面を参照しながら説明する。
【００１１】
本実施の形態に係るヘッドアップディスプレイ装置１００は、図１に示すように、車両２００のダッシュボード内に設置される。ヘッドアップディスプレイ装置１００は、車両２００のフロントガラス２０１（投射部材の一例）に向けて像を表す表示光Ｌｏを出射し、フロントガラス２０１で反射した表示光Ｌｏによって前記像の虚像Ｖを表示する。このように虚像Ｖが表示されることで、視認者１（主に車両２００の運転者）は、フロントガラス２０１遠方に表示される画像を視認する。
【００１２】
（ヘッドアップディスプレイ装置の構成）
ヘッドアップディスプレイ装置１００は、図２に示すように、筐体１０と、表示器２０と、ミラーユニット３０と、表示制御部４０と、を備える。
【００１３】
筐体１０は、非透光性樹脂材料または金属材料で形成されるとともに、中空の略直方体をなす。筐体１０には、フロントガラス２０１に対向する位置に開口部１１が形成されている。筐体１０は、開口部１１を塞ぐ板状の窓部１２を備える。この窓部１２は、表示光Ｌｏが通過するアクリルなどの透光性樹脂材料からなる。
【００１４】
表示器２０は、筐体１０の内部に固定され、所定の像を表す表示光Ｌｏを出射するものである。表示器２０は、図３に示すように、視認者１から見て左の像を表す表示光Ｌｏを出射する表示器２０Ｌと、中央の像を表す表示光Ｌｏを出射する表示器２０Ｓと、右の像を表す表示光Ｌｏを出射する表示器２０Ｒと、から構成される。図２に戻って、表示器２０Ｌ、２０Ｓ、２０Ｒは、それぞれ、光源２１と、液晶表示パネル２２と、光源用基板２３と、拡散ケース２４と、ヒートシンク２５と、を備える。
【００１５】
光源２１は、複数のＬＥＤ（Light Emitting Diode）から構成され、液晶表示パネル２２に照明する光を出射する。光源２１は、各種配線がプリントされたアルミ基板からなる光源用基板２３上に実装される。光源２１は、光源用基板２３を介して表示制御部４０に電気的に接続され、表示制御部４０の制御のもとで発光する。拡散ケース２４は、白濁したポリカーボネート等の樹脂から形成されている。拡散ケース２４は、光源２１と液晶表示パネル２２との間に設けられ、光源２１からの光を拡散して液晶表示パネル２２を均一に照明する。液晶表示パネル２２は、表示制御部４０の制御のもとで、各画素を透過／不透過状態に切り替えることで、光源２１からの光を受けて所定の像（車両情報を示す画像など）を表す表示光Ｌｏを射出する。ヒートシンク２５は、アルミニウム等の金属で構成され、光源２１で発生する熱を放散する。
【００１６】
（ミラーユニットの構成）
ミラーユニット３０は、表示光Ｌｏを反射する複数の凹面鏡３１と、複数の鏡３１を固定するホルダ３２とを備え、筐体１０の内部に固定され、表示器２０から出射された表示光Ｌｏをフロントガラス２０１に向けて拡大させつつ反射する。ミラーユニット３０は、図３に示すように、表示器２０Ｌから出射された表示光Ｌｏを反射する凹面鏡３１Ｌと、表示器２０Ｓから出射された表示光Ｌｏを反射する凹面鏡３１Ｓと、表示器２０Ｒから出射された表示光Ｌｏを反射する３１Ｒと、を備える。凹面鏡３１Ｌ、３１Ｓ、３１Ｒで反射された表示光Ｌｏは、さらにフロントガラスで反射され、視認者１に導かれ、視認者１は、左の虚像と中央の虚像と右の虚像とを、１つの横長の虚像Ｖとして視認することができる。
【００１７】
図４（Ａ）および図４（Ｂ）に示すように、複数の凹面鏡３１のうち隣り合う二つの凹面鏡３１の鏡面の端部３５Ｌと３３，３５Ｒと３４は、互いに隙間を持って配置され、かつ、凹面鏡３１の厚さ方向に段差を有して配置される。さらに、視認者１が見て、隣り合っている凹面鏡３１Ｌと３１Ｓ、３１Ｒと３１Ｓの鏡面が隙間無く連続して見えるように、鏡３１Ｌの鏡面の端部３５Ｌは、凹面鏡３１Ｓ側に突出し、同様に、凹面鏡３１Ｒの鏡面の端部３５Ｒは、凹面鏡３１Ｓ側に突出している。
【００１８】
本実施の形態では、鏡面に沿うＸＹ面座標のうちＸ方向がミラーユニット３０の長手方向に対応し、このＸ方向に直交するＹ方向がミラーユニット３０の短手方向に対応する。また、ＸＹ面に直交するＺ方向は、ミラーユニット３０の厚さ方向に対応する。
【００１９】
凹面鏡３１は、それぞれ所定の曲率を有する凹状の曲面を有する樹脂製の基材と、その基材の曲面上に配置されたアルミニウム等の金属膜（蒸着膜）から構成される鏡面と、を備える。凹面鏡３１の基材は、合成樹脂、例えば、金属膜の曲面を精度よく成形するため、シクロオレフィンポリマー（ＣＯＰ）樹脂から構成されてもよい。また、凹面鏡３１の基材は、合成樹脂に限らず、ガラスから構成されてもよい。
【００２０】
ホルダ３２は、略矩形の板状に形成されている。ホルダ３２は、合成樹脂、例えば、ポリカーボネート（ＰＣ）とポリエチレンテレフタラート（ＰＥＴ）のポリマーアロイを用いて形成されている。また、ホルダ３２は、例えば、その剛性を高めるために、このＰＣ／ＰＥＴポリマーアロイにグラスファイバーを１０％程度混合させて形成されてもよい。
【００２１】
凹面鏡３１Ｌ、３１Ｓ、３１Ｒは、図４（Ａ）および図４（Ｂ）に示すように、ホルダ３２上に、Ｘ方向に順に並んで固定されている。また、凹面鏡３１Ｓの端面３６、３７は、凹面鏡３１Ｓの鏡面よりホルダ３２に接する面の方が大きくなるように、傾斜して形成されている。凹面鏡３１Ｌの端面３８Ｌは、端面３６に平行に形成され、凹面鏡３１Ｒの端面３８Ｒは、端面３７に平行に形成されている。
【００２２】
また、図５に示すように、断面視にて、端面３８ＬとＺ方向とのなす劣角θＣＬは、アイボックスの中心から表示光Ｌｏを遡る視認者１の視線方向ＳＳと、アイボックスの右端から表示光Ｌｏを遡る視認者１の視線方向ＳＲと、のなす劣角θＲより大きい。同様に、断面視にて、端面３８ＲとＺ方向とのなす劣角θＣＲは、視線方向ＳＳと、アイボックスの右端から表示光Ｌｏを遡る視認者１の視線方向ＳＬと、のなす劣角θＬより大きい。なお、アイボックスは、視認者１が虚像Ｖを視認できる目の位置の範囲である。アイボックスの中心は、視認者１が運転席の中心に座って虚像Ｖを視認するときの目の位置である。アイボックスの右端は、虚像Ｖを視認できる目の右端の位置であり、アイボックスの左端は、虚像Ｖを視認できる目の左端の位置である。
【００２３】
また、図６に示すように、凹面鏡３１Ｌの鏡面の端部３５Ｌは、凹面鏡３１Ｓの鏡面の端部３３を通り且つ視線方向ＳＬに平行な直線上に位置し、視線方向ＳＬから見て、端部３５Ｌと端部３３とは隙間なく連続するように形成されている。同様に、凹面鏡３１Ｒの鏡面の端部３５Ｒは、凹面鏡３１Ｓの鏡面の端部３４を通り且つ視線方向ＳＲに平行な直線上に位置し、視線方向ＳＲから見て、端部３５Ｒと端部３４とは隙間なく連続するように形成されている。
【００２４】
以上、説明した本実施の形態のヘッドアップディスプレイ表示１００によれば、以下の作用および効果を奏する。
【００２５】
また、端部３５Ｌ（３５Ｒ）と端部３３（３４）とが、隙間（間隙）を持って、凹面鏡３１の厚さ方向に段差が設けられているため、視認者１の頭や体が右に移動して、アイボックスの右端から虚像Ｖを見た場合、視認者１は視線方向ＳＲでミラーユニット３０を見るため、図７に示すように、虚像Ｖに表れる端部３５Ｌと端部３３との隙間の間隔Ｄ１は、端面３８Ｌと端面３６との間隔Ｄ２より小さく見える。また、端部３５Ｒは、端部３４を通り且つ視線方向ＳＲに平行な直線上に位置するため、端部３５Ｒと端部３４との間には隙間が見えない。また、同様に、視認者１の頭や体が左に移動して、視認者１がアイボックスの左端から虚像Ｖを見たとき、図８に示すように、視認者１は視線方向ＳＬでミラーユニット３０を見るため、虚像Ｖに表れる端部３５Ｒと端部３４との隙間の間隔Ｄ３は、端面３８Ｒと端面３７との間隔Ｄ４より小さく見える。また、端部３５Ｌは、端部３３を通り且つ視線方向ＳＬに平行な直線上に位置するため、端部３５Ｌと端部３３との間には隙間が見えない。また、視認者１がアイボックスの中心から虚像Ｖを見た場合、視認者１は視線方向ＳＳでミラーユニット３０を見るため、図９に示すように、視認者１がアイボックスの中心から虚像Ｖを見たとき、虚像Ｖに表れる端部３５Ｌと端部３３と隙間の間隔Ｄ５は、端面３８Ｌと端面３６との間隔Ｄ２より小さく見える。また、端部３５Ｒと端部３４との隙間の間隔Ｄ６は、端面３８Ｒと端面３７との間隔Ｄ４より小さく見える。このため、図１０に示すように、視認者１がアイボックスの中心から視認した虚像Ｖに表れる隙間は、後述する比較例の隙間より小さい。
【００２６】
これらのことから、本実施の形態のヘッドアップディスプレイ表示１００は、隣り合う二つの凹面鏡３１の間に隙間を設けたとしても、視認者１に隙間の小さい虚像Ｖを視認させることができる。また、隣り合う二つの凹面鏡３１の間に隙間を設けることが許容されるため、凹面鏡３１が熱膨張して変形しないために隣り合う二つの凹面鏡３１の間に隙間を設けて設計することや部品公差を考慮して隣り合う二つの凹面鏡３１の間に隙間を設けて設計することが可能となる。このため、隣り合う二つの凹面鏡３１に隙間を設けて設計することで、ミラーユニット３０の製造も容易になる。
従って、本実施の形態のヘッドアップディスプレイ装置１００は、容易に製造でき、視認者１により多くの情報を提供するために、隙間の少ない大きい虚像や横長の虚像を視認させることができ、視認性にも優れ、視認者１に不快感を与えない。
【００２７】
これに対して、複数の凹面鏡３１のうち隣り合う二つの凹面鏡３１の鏡面の端部同士が、隙間を持って凹面鏡３１の厚さ方向に段差が設けられていない比較例について、図１１（Ａ）、図１１（Ｂ）を参照して説明する。
【００２８】
図１１（Ａ）に示すように、比較例のミラーユニット９０は、一般に設計されるように、同じ形状の凹面鏡９１Ｌ、９１Ｓ、９１Ｒと、凹面鏡９１Ｌ、９１Ｓ、９１Ｒを並べて配置するホルダ９２と、を備える。この場合、端部９５Ｌは、端面９８Ｌと端面９６との間の隙間に突き出していないため、視認者１が虚像ＶＣを視認したとき、虚像ＶＣに表れる隙間の間隔は、Ｄ７とほぼ同じである。同様に、端部９５Ｒは、端面９８Ｒと端面９７との間の隙間に突き出していないため、視認者１が虚像ＶＣを見たとき、虚像ＶＣに表れる隙間の間隔は、Ｄ８とほぼ同じである。このため、視認者１が、ミラーユニット９０を備えるヘッドアップディスプレイ装置で表示される虚像ＶＣを視認したとき、図１１（Ｂ）に示すように、虚像ＶＣに表れる隙間の間隔は、本実施の形態のヘッドアップディスプレイ装置１００で表示される虚像Ｖに表れる隙間の間隔より大きい。このため、ミラーユニット９０を備えるヘッドアップディスプレイ装置で、視認者１に複数の虚像ＶＣを大きい虚像ＶＣや横長の虚像ＶＣとして視認させようとすると、視認性に劣り、視認者が不快に感じる。
【００２９】
（変形例）
実施の形態のヘッドアップディスプレイ装置１００では、表示器２０から出射された表示光Ｌｏを反射するフロントガラス２０１は曲面で構成される。一方、Ｚ方向から見た凹面鏡３１と凹面鏡とのつなぎ目は直線である。このため、視認者１が視認するヘッドアップディスプレイ表示の虚像Ｖのつなぎ目が、図１０に示すように、蛇行したラインとして表れる。この蛇行したラインを直線に近いラインにするために、視認者１が虚像Ｖを視認したとき、虚像Ｖに表れる凹面鏡３１の隙間が直線状になるように、Ｚ方向に見て、凹面鏡３１の隙間が曲線状に形成されてもよい。
【００３０】
具体的には、図１２（Ａ）に示すように、仮想のヘッドアップディスプレイ表示Ｖ’上で任意の位置に直線Ｌを設定し、その直線Ｌ上で複数の代表点Ｐ（ｉ）を決める。ここでｉは、１〜ｎの自然数である。つぎに、図１２（Ｂ）に示すように、視認者１のアイボックスの中心と代表点Ｐ（ｉ）を結んだ光線をフロントガラス２０１で折り返した時のミラーユニット３０との交点をミラーユニット３０上の代表点Ｑ（ｉ）とする。この代表点Ｑ（ｉ）をスプライン線（曲線）でつなぐ。そのスプライン線に基づいて、つなぎ目の形状を決定する。このつなぎ目の形状に基づいて成形された凹面鏡３１をミラーユニット３０に配置する。仮想のヘッドアップディスプレイ表示Ｖ’上で定めた直線から逆算して凹面鏡３１の繋ぎ目を決めているため、図１３に示すように凹面鏡３１の繋ぎ目がフロントガラス２０１を介してヘッドアップディスプレイ表示の虚像Ｖ上に投影される際に直線に近い曲線として表示される。このため、視認者１の違和感をより軽減し、表示の視認性をより向上させることができる。
【００３１】
また、実施の形態のミラーユニット３０では、視認者１がアイボックスの右端または左端から虚像Ｖを見たとき、図７、図８に示すように、端部３５Ｌ（３５Ｒ）と端部３３（３４）との間の隙間が見えないように構成される場合について説明したが、端部３５Ｒと端部３４とは、図１４に示すように、アイボックスの中心から表示光Ｌｏを遡る視認者１の視線方向ＳＳに平行な直線上に位置するように設計されてもよい。同様に、端部３５Ｌと端部３３とは、視線方向ＳＳに平行な直線上に位置するように設計される。この構成では、ヘッドアップディスプレイ装置１００は、視認者１がアイボックスの中心から虚像Ｖを視認したとき、視認者１に端部３５Ｒと端部３４との間、および端部３５Ｌと端部３３との間に隙間のない虚像Ｖを視認させることができる。
【００３２】
また、実施の形態のミラーユニット３０では、端面３６、３８Ｌ、３７、３８Ｒが、傾斜している場合について説明したが、端面３６、３８Ｌ、３７、３８Ｒは、傾斜している場合に限定されず、図１５（Ａ）に示すように、Ｘ方向に垂直な面であってもよい。この場合、端部３５Ｌ（３５Ｒ）は、端面３８Ｌ（３８Ｒ）と３６（３７）との隙間に突き出すように成形されるとよい。
【００３３】
また、実施の形態のミラーユニット３０では、凹面鏡３１Ｓの鏡面よりホルダ３２に接する面の方が大きくなるように、端面３８Ｌ、３８Ｒが、傾斜している場合について説明したが、図１５（Ｂ）に示すように、端面３６、３８Ｌが、Ｚ方向に向かってＸ方向に傾斜し、端面３７、３８Ｒが、Ｚ方向に向かって−Ｘ方向に傾斜していてもよい。この場合、端部３５Ｌと端部３３とは、視線方向ＳＲに平行な直線上に位置するように設計され、端部３５Ｒと端部３４とは、視線方向ＳＬに平行な直線上に位置するように設計されるとよい。このように設計することで、視認者１がアイボックスの右端から虚像Ｖを見たとき、端部３５Ｌと端部３３との隙間を見えなくでき、端視認者１がアイボックスの左端から虚像Ｖを見たとき、端部３５Ｒと端部３４との間の隙間を見えなくできる。
【００３４】
また、実施の形態のヘッドアップディスプレイ装置１００では、凹面鏡３１毎に表示器２０が設けられていたが、凹面鏡３１の枚数と同じ台数の表示器２０を用いる必要はなく、例えば、１台の表示器２０から複数の凹面鏡３１に表示光Ｌｏを出射してもよい。表示器２０の台数を少なくすることで、コストを押さえてヘッドアップディスプレイ装置１００を作成することができる。
【００３５】
また、実施の形態のヘッドアップディスプレイ装置１００では、ミラーユニット３０が１列に並べられた３つの凹面鏡３１を備える場合について説明したが、ミラーユニット３０は、２つの凹面鏡３１を並べてもよく、４つ以上の凹面鏡３１を１列に並べてもよい。また、本実施の形態のヘッドアップディスプレイ装置１００では、凹面鏡３１が、横１列に並べられていたが、縦横に複数並べられてもよい。例えば、９枚の凹面鏡３１を縦に３つ、横に３つならべてもよい。縦横に凹面鏡３１を並べることで、視認者により大きいヘッドアップディスプレイ表示Ｖを視認させることができる。
【００３６】
実施の形態のヘッドアップディスプレイ装置１００では、鏡として凹面鏡３１が採用されていたが、鏡であれば凸面鏡、平面鏡等であってもよい。
【００３７】
上記実施の形態では、光源２１はＬＥＤから構成されたが、その他白熱電球等の光源から構成されてもよい。
【００３８】
上記実施形態では、本発明に係るヘッドアップディスプレイ装置１００を車載用のヘッドアップディスプレイ装置に適用したが、車載用に限らず、飛行機、船等の乗り物に搭載されるヘッドアップディスプレイ装置に適用してもよい。また、投射部材はフロントガラス２０１に限られず、専用のコンバイナであってもよい。
【００３９】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００４０】
１  視認者
１０  筐体
１１  開口部
１２  窓部
２０、２０Ｌ、２０Ｓ、２０Ｒ  表示器
２１  光源
２２  液晶表示パネル
２３  光源用基板
２４  拡散ケース
２５  ヒートシンク
３０  ミラーユニット
３１、３１Ｌ、３１Ｓ、３１Ｒ  凹面鏡
３２  ホルダ
３３、３４、３５Ｌ、３５Ｒ  端部
３６、３７、３８Ｌ、３８Ｒ  端面
４０  表示制御部
９０  ミラーユニット
９１、９１Ｌ、９１Ｓ、９１Ｒ  凹面鏡
９２  ホルダ
９３、９４、９５Ｌ、９５Ｒ  端部
９６、９７、９８Ｌ、９８Ｒ  端面
１００  ヘッドアップディスプレイ装置
２００  車両
２０１  フロントガラス
【図１】
2017134178.tif 000003
【図２】
2017134178.tif 000004
【図３】
2017134178.tif 000005
【図４】
2017134178.tif 000006
【図５】
2017134178.tif 000007
【図６】
2017134178.tif 000008
【図７】
2017134178.tif 000009
【図８】
2017134178.tif 000010
【図９】
2017134178.tif 000011
【図１０】
2017134178.tif 000012
【図１１】
2017134178.tif 000013
【図１２】
2017134178.tif 000014
【図１３】
2017134178.tif 000015
【図１４】
2017134178.tif 000016
【図１５】
2017134178.tif 000017